(57)【要約】      （修正有）【課題】餌取付板にカニ等の餌を取り付けて紐で縛り付ける際に、紐の端部を結び止めすることなく簡便に固定できて、餌の付け替えに手間がかからない蛸釣具を提供する。【解決手段】上面側に餌を固定しうる餌取付板2と、その餌取付板の一端に取り付けられた釣針と、餌取付板の反対側の端部に設けられた釣糸連結部と、餌取付板に取り付けられた錘とを有し、上記餌取付板に餌を縛り付ける紐の一端が餌取付板に止着されるとともに、の反対側の端部を巻き付けることにより固定しうる紐止部材7が餌取付板の下面側に設けられたことを特徴とする。【選択図】図４
0003102853.tif 000002
【実用新案登録請求の範囲】
【請求項１】
上面側に餌を固定しうる餌取付板と、その餌取付板の一端に取り付けられた釣針と、餌取付板の反対側の端部に設けられた釣糸連結部と、餌取付板に取り付けられた錘とを有し、
上記餌取付板に餌を縛り付ける紐の一端が餌取付板に止着されるとともに、紐の反対側の  端部を巻き付けることにより固定しうる紐止部材が餌取付板の下面側に設けられたことを特徴とする蛸釣具。
【請求項２】
上記紐止部材は紐を周囲に巻き付ける軸部と、その軸部の先端に設けられ、上記軸部に巻き付けられた紐の外側を覆って紐を上記餌取付板と共に挟み止めしうる円板状部材とにより構成されたことを特徴とする請求項１記載の蛸釣具。
【請求項３】
上記軸部は硬質素材により上記餌取付板と一体に形成され、上記円板状部材は半硬質のプラスチックにより形成されて上記軸部の先端にネジにより接合されたことを特徴とする請求項２記載の蛸釣具。
【請求項４】
上記餌取付板において上記円板状部材と対向する部位には、上記軸部に巻き付けられた紐が没入しうる凹部が形成されたことを特徴とする請求項2又は３記載の蛸釣具。
【請求項５】
上記餌取付板は硬質プラスチックにより略長板状に形成され、その略中央部に幅広の餌置部が設けられると共に、その両側に段差部を介して外方へ向かって次第に幅を縮小する細幅部が設けられたことを特徴とする請求項１、２、３又は４記載の蛸釣具。
【請求項６】
上記餌取付板の上面部には散点状に小突起が形成されると共に、上記餌取付板の外縁部には長さ方向の複数箇所に上下方向に沿って溝部が形成されたことを特徴とする請求項１、２、３、４又は５記載の蛸釣具。
【請求項７】
上記餌取付板の一端に設けられた釣針は、針先が内方を向くように取り付けられ、左右一対備えられたことを特徴とする請求項１、２、３、４、５又は６記載の蛸釣具。
【考案の詳細な説明】
【技術分野】
【０００１】
本考案は蛸釣具に関する。
【背景技術】
【０００２】
従来、カニ等の餌を上面に載置して紐で縛って固定しうる餌取付板を形成し、その餌取付板の一端に釣針を取り付けるとともに、反対側の端部に釣糸を連結しうるように構成された蛸釣具が公知である。
【０００３】
上記蛸釣具は、餌取付板に固定した餌に蛸が被さったときに釣糸を引いて釣針で蛸を引っ掛けることにより蛸を釣り上げるように形成されている。
【０００４】
上記のような従来の蛸釣具は、餌取付板にカニ等の餌を取り付ける場合に、上記のように紐でカニ等の餌を縛り付けるが、縛り付ける際に、その紐の端部を結び止めしなければならないという煩瑣があった。
従って、餌の付け替えに時間がかかり、釣果が上がらないという不具合があった。
【０００５】
なお、本出願人は上記の不具合を解消できる蛸釣具を調査したが、関連する先行技術文献を発見できなかった。
【考案の開示】
【考案が解決しようとする課題】
【０００６】
そこで本考案は、餌取付板にカニ等の餌を取り付けて紐で縛り付ける際に、紐の端部を結び止めすることなく簡便に固定できて、餌の付け替えに手間がかからない蛸釣具の提供を課題とする。
【課題を解決するための手段】
【０００７】
上記課題を解決するために、請求項１記載の本考案に係る蛸釣具は、上面側に餌を固定しうる餌取付板と、その餌取付板の一端に取り付けられた釣針と、餌取付板の反対側の端部に設けられた釣糸連結部と、餌取付板に取り付けられた錘とを有し、上記餌取付板に餌を縛り付ける紐の一端が餌取付板に止着されるとともに、紐の反対側の端部を巻き付けることにより固定しうる紐止部材が餌取付板の下面側に設けられたことを特徴とするものである。
【０００８】
即ち、本考案に係る蛸釣具は、上記餌取付板の上に餌を置いて、その餌を上記餌取付板に紐で縛り付け、その紐は結び止めすることなく、餌取付板の下面側に設けられた紐止部材に巻き付けるだけで固定するものである。
【０００９】
また、請求項２記載の本考案に係る蛸釣具は、上記紐止部材が紐を周囲に巻き付ける軸部と、その軸部の先端に設けられ、上記軸部に巻き付けられた紐の外側を覆って紐を上記餌取付板と共に挟み止めしうる円板状部材とにより構成されたことを特徴とする。
【００１０】
即ち、本考案に係る蛸釣具は、上記紐止部材における軸部の周囲に紐を巻き付けると共に、その巻き付けた紐を上記円板状部材と上記餌取付板とにより挟み止めして固定するものである。
【００１１】
また、請求項３記載の本考案に係る蛸釣具は、上記軸部が硬質素材により上記餌取付板と一体に形成され、上記円板状部材は半硬質のプラスチックにより形成されて上記軸部の先端にネジにより接合されたことを特徴とする。
【００１２】
即ち、本考案に係る蛸釣具は、上記軸部が別部品で形成されるものではなく、上記餌取付板と一体成形されるものである。また、上記円板状部材は半硬質のプラスチックにより形成され、若干柔軟性を有して、紐を軸部の周囲に巻き付ける場合に内側の隙間を拡大するように変形することができると共に、軸部の周囲に巻き付けた紐を確実に挟み止めしうる程度の剛性を有するものである。また、上記円板状部材は上記軸部とは別部品で、軸部の先端にネジにより接合されるものである。
【００１３】
また、請求項４記載の本考案に係る蛸釣具は、上記餌取付板において上記円板状部材と対向する部位には、上記軸部に巻き付けられた紐が没入しうる凹部が形成されたことを特徴とする。
【００１４】
即ち、本考案に係る蛸釣具は、上記軸部に巻き付けた紐を凹部に没入させることにより紐が解けにくくするものである。
【００１５】
また、請求項５記載の本考案に係る蛸釣具は、上記餌取付板が硬質プラスチックにより略長板状に形成され、その略中央部に幅広の餌置部が設けられると共に、その両側に段差部を介して外方へ向かって次第に幅を縮小する細幅部が設けられたことを特徴とする。
【００１６】
即ち、本考案に係る蛸釣具は、幅広の餌置部の上に餌を置いて紐で縛り付けることができ、その紐を縛り付ける場合に、上記段差部を紐の係止部とすることができる。
【００１７】
また、請求項６記載の本考案に係る蛸釣具は、上記餌取付板の上面部に散点状に小突起が形成されると共に、上記餌取付板の外縁部には長さ方向の複数箇所に上下方向に沿って溝部が形成されたことを特徴とする。
【００１８】
即ち、本考案に係る蛸釣具は、上記餌取付板の上面部に散点状に形成された小突起が滑り止め作用を有し、また、上記餌取付板の外縁部に形成された溝部を紐の係止部とすることができる。
【００１９】
また、請求項７記載の本考案に係る蛸釣具は、上記餌取付板の一端に設けられた釣針が、針先が内方を向くように取り付けられ、左右一対備えられたことを特徴とする。
【００２０】
即ち、本考案に係る蛸釣具は、上記餌取付板に固定した餌の上に蛸が被さったときに、上記餌取付板を釣糸を引っ張ることにより上記釣針の反対側方向へ移動させることにより上記釣針で蛸を引っ掛けることができる。
【考案の効果】
【００２１】
請求項１記載の本考案に係る蛸釣具は、餌取付板に餌を縛り付ける紐の一端が餌取付板に止着されるとともに、紐の反対側の端部を巻き付けるだけで固定しうる紐止部材が餌取付板の下面側に設けられたことから、餌取付板にカニ等の餌を紐で縛り付ける際に、その紐の端部を結び止めするという煩瑣が解消する。
従って、餌の付け替えを短時間でスムースに行うことができるので釣果を上げることができる。
【００２２】
また、請求項２記載の本考案に係る蛸釣具は、上記紐止部材は紐を周囲に巻き付ける軸部と、その軸部の先端に設けられ、上記軸部に巻き付けられた紐の外側を覆って紐を上記餌取付板と共に挟み止めしうる円板状部材とにより構成されたことから、上記紐止部材の構造がシンプルで、容易に、かつ低コストで形成することができる。
【００２３】
また、請求項３記載の本考案に係る蛸釣具は、上記軸部が硬質素材により上記餌取付板と一体に形成されたことから、部品点数の増加を抑えて低コストで製造することができる。
また、上記円板状部材が半硬質のプラスチックにより形成されたことから、餌取付板との隙間を拡大するように若干変形できるので、軸部に対する紐の巻き付け作業がしやすくなる。また、上記円板状部材が上記軸部の先端にネジにより接合されたことから、上記円板状部材の取付作業が容易である。
【００２４】
また、請求項４記載の本考案に係る蛸釣具は、上記餌取付板において上記円板状部材と対向する部位には、上記軸部に巻き付けられた紐が没入しうる凹部が形成されたことから、上記軸部に巻き付けられた紐を上記凹部に没入させることにより紐が安易に解けるのを防止することができる。
【００２５】
また、請求項５記載の本考案に係る蛸釣具は、上記餌取付板が硬質プラスチックにより略長板状に形成され、その略中央部に幅広の餌置部が設けられると共に、その両側に段差部を介して外方へ向かって次第に幅を縮小する細幅部が設けられたことから、上記餌置部に餌を置いて紐で縛り付ける場合に、上記段差部に紐を掛けて容易かつ確実に紐を巻き付けることができる。
【００２６】
また、請求項６記載の本考案に係る蛸釣具は、上記餌取付板の上面部に散点状に小突起が形成されたことから、上記小突起の滑り止め作用により餌を固しやすく紐で縛りやすい。また、上記餌取付板の外縁部には長さ方向の複数箇所に上下方向に沿って溝部が形成されたことから、紐を上記溝部に係止させることができるので、紐を容易かつ確実に餌に巻き付けることができる。
【００２７】
また、請求項７記載の本考案に係る蛸釣具は、上記餌取付板の一端に設けられた釣針が、針先が内方を向くように取り付けられ、又、左右一対備えられたことから、釣糸を引いたときに釣針が確実に蛸を引っ掛けることができ、釣り逃すことがない。
【考案を実施するための最良の形態】
【００２８】
以下、図面を用いて本考案の実施の形態について説明する。
本実施形態に係る蛸釣具１は、図１に示すように、上面側に餌を固定しうる餌取付板２と、その餌取付板２の一端に取り付けられた釣針３と、餌取付板２の反対側の端部に設けられた釣糸連結部４と、餌取付板２に取り付けられた錘５とを有し、上記餌取付板２に餌を縛り付ける紐６の一端が餌取付板２に止着されるとともに、紐６の反対側の端部を巻き付けることにより固定しうる紐止部材７が餌取付板２の下面側に設けられている。
また、上記紐止部材７は、図２及び図４に示すように、紐６を周囲に巻き付ける軸部８と、その軸部８の先端に上記餌取付板２に対し平行に設けられ、上記軸部８に巻き付けられた紐６の外側を覆って紐６を上記餌取付板２と共に挟み止めしうる円板状部材９とにより構成されている。
また、上記軸部８は、図２及び図４に示すように、硬質素材により上記餌取付板２と一体に形成され、上記円板状部材９は半硬質のプラスチックにより形成されて上記軸部８の先端にネジ１０により接合されている。
また、上記餌取付板２において上記円板状部材９と対向する部位には、図２及び図４に示すように、上記軸部８に巻き付けられた紐６が没入しうる凹部１１が形成されている。
また、上記餌取付板２は、図１に示すように、硬質プラスチックにより略長板状に形成され、その略中央部に幅広の餌置部１２が設けられると共に、その両側に段差部１３を介して外方へ向かって次第に幅を縮小する細幅部１４、１５が設けられている。
また、図１に示すように、上記餌取付板２の上面部には散点状に小突起１６が形成されると共に、上記餌取付板２の外縁部には長さ方向の複数箇所に上下方向に沿って溝部１７が形成されている。
また、図１に示すように、上記餌取付板２の一端に設けられた釣針３は、針先１８が内方を向くように取り付けられ、左右一対備えられている。
【実施例１】
【００２９】
図示した本実施例に係る蛸釣具１は、図１に示すように、餌取付板２と、釣針３と、釣糸連結部４と、錘５と、紐６と、紐止部材７とを具えて構成されている。
【００３０】
上記餌取付板２は、図１に示すように、硬質プラスチックにより略長板状に形成され、その略中央部に幅広の餌置部１２が設けられると共に、その両側に段差部１３を介して外方へ向かって次第に幅を縮小する細幅部１４、１５が設けられている。
【００３１】
また、上記餌取付板２は、図１に示すように、その上面部に、散点状に小突起１６が形成されている。
【００３２】
また、上記餌取付板２は、図１に示すように、その外縁部における長さ方向の複数箇所に上下方向に沿って溝部１７が形成されている。
【００３３】
上記餌取付板２は、図３及び図４に示すように、主に上記餌置部１２の上にカニ等の餌１９を載置して、上記紐６により縛り付けるものである。なお、上記餌置部１２の上に収まりきれないサイズの餌１９は、上記細幅部１４、１５の外方にはみ出した状態で配置される場合もありうる。
【００３４】
図１に示すように、上記餌取付板２の上面部に散点状に小突起１６が形成されていることにより、餌１９は滑り止めされるので、紐６で縛りやすい。
【００３５】
上記の紐６は、タコ糸のような剛性の大きな糸で形成され、図１に示すように、その一端が上記餌取付板２に止着され、他端はフリーになっている。紐６の一端は、上記餌取付板２における上記餌置部１２の隅角部に穿設された孔２０に通され、その孔２０を貫通した端部に結び目２１が形成されることにより抜け止めされている。なお、紐６の止着方法は自由であり、上記の方法に限定されるものではない。
【００３６】
上記餌取付板２の上に載置した餌１９を紐６で縛り付ける場合、図３に示すように、その紐６を、外縁部に形成された上記溝部１７や、上記段差部１３に係止することができる。これにより、紐６を堅牢に縛り付けることができる。なお、紐６の縛り方は、タスキ掛け等、適宜に行うことができる。
【００３７】
上記釣針３は、図１に示すように、スチール等金属でＵ字状に屈曲するように形成され、その基端部が、上記餌取付板２における上記細幅部１４の先端の端面部に埋め込まれて止着されている。
【００３８】
上記釣針３は、図１に示すように、左右一対備えられ、上記細幅部１４の幅方向の両端に、針先１８が内方を向くように配置されている。
【００３９】
上記紐止部材７は、図２に示すように、餌取付板２の下面側に設けられている。
【００４０】
上記紐止部材７は、図２及び図４に示すように、軸部８と、その軸部８の先端において、餌取り付け板に対して略平行に設けられた円板状部材９とにより構成されている。
【００４１】
上記軸部８は、図４に示すように、上記餌取付板２と一体に、その周囲に上記紐６を巻き付けうるように形成されている。
【００４２】
上記軸部８の周囲には、図４に示すように、円環状に凹部１１が形成されている。この凹部１１は、上記軸部８の周囲に巻き付けた上記紐６を没入しうるように形成されている。
【００４３】
上記円板状部材９は、半硬質のプラスチックゴムにより形成され、図２及び図４に示すように、上記軸部８の先端に、上記凹部１１を覆うように、上記餌取付板２と平行に止着されている。
なお、上記円板状部材９は、上記軸部８に対し、ネジ１０により固定されている。図中、符号２２は座金を示している。
【００４４】
上記円板状部材９は半硬質で、上記凹部１１に没入した紐６の脱出を防止しえる適度な剛性を有している。また、上記円板状部材９は若干柔軟性も有して、上記紐６を上記軸部８に巻き付ける場合や、解く場合に、上記餌取付板２との隙間を拡大するように変形可能である。
【００４５】
上記釣糸連結部４は、図１に示すように、上記餌取付板２における上記細幅部１５の先端部に設けられている。この釣糸連結部４は、餌取付板２に対する連結紐２３と、その連結紐２３に接続された連結金具２４により構成され、その連結金具２４にはヨリモドシが使用されている。
【００４６】
上記錘５は鉛で板状に形成され、上記餌取付板２における上記細幅部１５の下面側に吊り下げ状態に取り付けられている。
【産業上の利用可能性】
【００４７】
本考案の蛸釣具は、蛸釣り用の仕掛けに適用可能である。
【図面の簡単な説明】
【００４８】
【図１】上面側の全体斜視図である。
【図２】下面側の一部斜視図である。
【図３】餌を取り付けた状態の斜視図である。
【図４】図３のＡ−Ａ線断面図である。
【符号の説明】
【００４９】
１    蛸釣具
２    餌取付板
３    釣針
４    釣糸連結部
５    錘
６    紐
７    紐止部材
８    軸部
９    円板状部材
１０  ネジ
１１  凹部
１２  餌置場
１３  段差部
１４  細幅部
１５  細幅部
１６  小突起
１７  溝部
１８  針先
１９  餌
２０  孔
２１  結び目
２２  座金
２３  連結紐
２４  連結金具
【図１】
0003102853.tif 000003
【図２】
0003102853.tif 000004
【図３】
0003102853.tif 000005
【図４】
0003102853.tif 000006